(57)【要約】  本開示は、一部には、トップシートと、バックシートと、少なくとも部分的にトップシートとバックシートとの中間に位置する吸収性コアと、を含むシャーシを備える吸収性物品に関する。吸収性物品は、中央横方向軸と、中央長手方向軸と、第１の曲線部分を含む第１の腰部縁部と、第２の曲線部分を含む第２の腰部縁部と、第３の曲線部分を含む第１の側縁部と、第４の曲線部分を含む第２の側縁部と、コアラップと、を備える。マスキング材料は、少なくとも部分的に吸収性コアとバックシートとの中間に位置し得る。シャーシは、外周を有する。外周の約５０％〜約９５％は曲線であり、外周の約５％〜約３０％は直線部分を含む。
2021526421.tif 000002
【特許請求の範囲】
【請求項１】
吸収性物品であって、
シャーシを備え、前記シャーシが、
トップシートと、
バックシートと、
少なくとも部分的に前記トップシートと前記バックシートとの中間に位置する吸収性コアと、
中央横方向軸と、
中央長手方向軸と、
一対のレッグカフと、
第１の曲線部分を含む第１の側縁部であって、前記中央長手方向軸の第１の側に位置する、第１の側縁部と、
第２の曲線部分を含む第２の側縁部であって、前記中央長手方向軸の前記第２の側に位置する、第２の側縁部と、
第１の曲線部分を含む第１の腰部縁部であって、前記中央横方向軸の第１の側に位置する、第１の腰部縁部と、
第２の曲線部分を含む第２の腰部縁部であって、前記中央横方向軸の第２の側に位置する、第２の腰部縁部と、を含み
前記シャーシが、外周を有し、前記外周の約５０％〜約９５％が曲線であり、前記外周の約５％のみ〜約３０％のみが直線部分を含む、吸収性物品。
【請求項２】
前記第１の腰部縁部の前記第１の曲線部分が、共に前記中央横方向軸に対する第１の凹部分及び第１の凸部分を含み、前記第２の腰部縁部の前記第２の曲線部分が、前記中央横方向軸に対する第２の凹部分及び第２の凸部分を含む、請求項１に記載の吸収性物品。
【請求項３】
前記第１の腰部縁部が、前記中央横方向軸を中心として前記第２の腰部縁部に対して実質的に対称であり、前記第１の側縁部が、前記中央長手方向軸を中心として前記第２の側縁部に対して実質的に対称である、請求項２に記載の吸収性物品。
【請求項４】
前記第１の側縁部に近接して取り付けられた第１の突出部と、
前記第２の側縁部に近接して取り付けられた第２の突出部と、
前記第１の側縁部に近接して取り付けられた第３の突出部と、
前記第２の側縁部に近接して取り付けられた第４の突出部と、を備える、請求項１〜３のいずれか一項に記載の吸収性物品。
【請求項５】
前記シャーシが、一体型シャーシであり、前記シャーシが、
前記第１の側縁部に形成された第１の突出部と、
前記第２の側縁部に形成された第２の突出部と、
前記第１の側縁部に形成された第３の突出部と、
前記第２の側縁部に形成された第４の突出部と、を含み、
前記第１、第２、第３、及び第４の突出部が、前記一体型シャーシとは別の要素ではない、請求項１〜３のいずれか一項に記載の吸収性物品。
【請求項６】
前記第１、第２、第３、及び第４の突出部のうちの少なくとも２つが、追加の曲線部分を含む、請求項５に記載の吸収性物品。
【請求項７】
第１の表面と、
第２の表面と、
前記第１の表面上の第１の締着具と、
前記第１の表面上の第２の締着具と、を含む第１の取り外し可能な締着部材を備え、
前記第１の締着具が、前記中央横方向軸の第１の側の前記シャーシの一部分と取り外し可能に係合されるように構成され、前記第２の締着具が、前記中央横方向軸の第２の側のシャーシの一部分と取り外し可能に係合されるように構成されている、請求項１〜６のいずれか一項に記載の吸収性物品。
【請求項８】
第３の表面と、
第４の表面と、
前記第３の表面上の第３の締着具と、
前記第３の表面上の第４の締着具と、を含む第２の取り外し可能な締着部材を備え、
前記第３の締着具が、前記中央横方向軸の第１の側の前記シャーシの一部分と取り外し可能に係合されるように構成され、前記第４の締着具が、前記中央横方向軸の第２の側の前記シャーシの一部分と取り外し可能に係合されるように構成されている、請求項７に記載の吸収性物品。
【請求項９】
前記外周の全ての部分が、２つの層によって形成されている、請求項１〜８のいずれか一項に記載の吸収性物品。
【請求項１０】
前記外周の直線部分が、折り畳み部を含み、前記外周部の前記曲線部分が、切断縁部を含む、請求項１〜９のいずれか一項に記載の吸収性物品。
【請求項１１】
少なくとも部分的に前記吸収性コアと前記バックシートとの中間に位置するマスキング材料を含む、請求項１〜１０のいずれか一項に記載の吸収性物品。
【請求項１２】
前記マスキング材料が、厚さ試験に従って、約１ｍｍ〜約８ｍｍの範囲の厚さを有する、請求項１１に記載の吸収性物品。
【請求項１３】
前記マスキング材料が、剛性試験に従って、約１００ｍＮ〜約１，０００ｍＮの範囲の剛性を有する、請求項１１又は１２に記載の吸収性物品。
【請求項１４】
前記マスキング材料が、坪量試験に従って、約２０ｇｓｍ〜約５０ｇｓｍの範囲の坪量を有する、請求項１１〜１３のいずれか一項に記載の吸収性物品。
【請求項１５】
前記吸収性物品の着用者対向面の一部分に接合された湿りガードを備える、請求項１〜１４のいずれか一項に記載の吸収性物品。
【発明の詳細な説明】
【技術分野】
【０００１】
本開示は、一般に、可逆的かつ構成可能な吸収性物品に関する。吸収性物品は、１つ以上のインサートと共に使用され得る。
【背景技術】
【０００２】
吸収性物品は、乳児、子供、及び成人の排泄物（例えば、尿、排便、及び経血）を収容及び吸収するために使用される。吸収性物品は、乳児、未熟児、及び／又は新生児薬物離脱症候群（Neonatal Abstinence Syndrome、「ＮＡＳ」）の乳幼児におむつを着けるために病院で使用することができる。未熟児、ＮＡＳの乳幼児、又は他の小さな乳児は、看護者及び他の病院スタッフによる特別なケアを必要とする場合がある。これらの乳幼児は、多くの場合、換気装置、栄養管、又は他の生命維持システム若しくはモニタリングシステムと繋がっている。場合によっては、乳幼児は、アイソレットとしても知られる保育器の中に入れられる場合がある。乳幼児は、典型的には、保護を必要とする非常に繊細な皮膚を有するために、高湿度、無菌環境に保たれている。これらの未熟児の健康に対して、触れられ過ぎず、高度な無菌環境において維持されていることが重要である。乳幼児に触れ過ぎると、ストレスを生じさせる場合がある。未熟児又はＮＡＳの乳幼児用のいくつかの現在の吸収性物品は、使用が多少困難であり、超未熟児にとって、特に股部領域において大き過ぎる。現在の吸収性物品が、横方向軸を中心に折り畳まれると、典型的には、矩形又は実質的な矩形形状をとり、それにより、充填されるとコアが嵩高くなった幅広な股部領域を提供する。加えて、未熟児及びＮＡＳの乳幼児用のいくつかの現在の吸収性物品は、排泄物の優れた収容及び排泄物からの皮膚の保護を提供しない場合がある。更に、いくつかの現在の吸収性物品は、締着具システムとの完全な柔軟性を提供しない。未熟児又はＮＡＳの乳幼児は、型にはまらない締着システムの要求条件から恩恵を受ける可能性がある。更に、いくつかの現在の吸収性物品は、未熟児又はＮＡＳの乳幼児の介護者が有益であると考え得る特徴の全てを提供するわけではない。したがって、未熟児、ＮＡＳの乳幼児、他の乳幼児、及び他の着用者用の吸収性物品を改善する必要がある。
【発明の概要】
【課題を解決するための手段】
【０００３】
本開示は、任意のある特定のサイズ又は使用に限定されることなく、未熟児及びＮＡＳの乳幼児（並びに他の小さい乳児、他の乳幼児、又は他の着用者）に好適な、可逆的かつ構成可能な吸収性物品を提供する。上に記載されているように、いくつかの現在の吸収性物品に関する１つの問題は、吸収性物品が未熟児又はＮＡＳの乳幼児の特定のニーズに対して構成されておらず、場合によっては、看護者の所望以上に看護者がこれらの乳幼児に触れることを余儀なくすることである。本開示の構成可能かつ可逆的な吸収性物品は、非常に狭い股領域、小さい全体寸法、別個の完全に取り外し可能な締着部材、軟らかい皮膚接触面、曲線部分を有する腰部及び／又は側縁部、緩やかに傾斜する前側及び後側の臍帯又は手術部位用切り欠き、並びに任意選択的に１つ以上の湿りガードを設けることによって、いくつかの現在の未熟児及び／又はＮＡＳの乳幼児用吸収性物品の欠点を克服する。いくつかの形態では、本開示の構成可能かつ可逆的な吸収性物品は、別個の取り外し可能な締着部材により、締着部材がなくても使用可能にすることができる。これは、場合によっては、看護者により所望され得、乳幼児に触れるか又は乳幼児を移動させる必要性が減少され得る。吸収性物品の吸収性コアにおける吸収性材料は、可逆的使用を可能にするために均質であってもよい。更に、吸収性コアは、股部領域を狭め、更に多くの適合のための選択肢及び脚の置き場を提供することを援助するように、延在した砂時計形状を有してもよい。
【０００４】
完全に取り外し可能な締着部材は、介護者が任意の向き及び／又は任意の角度で必要に応じて締着具を取り付け、また、取り外すことを可能とし得る。例えば、完全に取り外し可能な締着部材は、それ自体に（又は、互いに重なり合う締着具の場合）取り付けることができるか、又は構成可能かつ可逆的な吸収性物品の衣類対向面の任意の一部分に、若しくは可逆的かつ構成可能な吸収性物品の衣類対向面の他の任意の一部分に取り付けることができる。これにより、吸収性物品が、未熟児又はＮＡＳの乳児に様々な位置で締着されるであろう様々な状況に対する高い柔軟性が介護者に提供され、これは従来のテープ式おむつとは、全く異なり得る。
【０００５】
本開示の吸収性物品は、曲線部分を含む腰部及び／又は側縁部（又は外周）を有し得る。乳幼児は、複雑な曲線表面を有する。したがって、直線の腰部及び／又は側縁部（又は外周）を有する吸収性物品は、特に未熟児の場合には、最良のフィット性及び漏れ防止には常に適切であるとは限らない場合がある。腰部縁部上に曲線部分を緩やかに設けて、横方向中点上の手術部位又は臍帯用切り欠きをもたらすことによって、看護者が乳幼児に対して調節する選択肢をより広範囲にすることが可能になる。曲線部分を有する腰部及び／又は側縁部（又は外周）を設けることによって、吸収性物品は、改善されたフィット性、改善された漏れ防止を有し、消費者によい品質／計画性の印象をもたらすことができる。
【０００６】
本開示の吸収性コアは、コアラップ内に、又は少なくとも部分的にコアラップ内に位置する複数の層を含み得る。コアラップは、超吸収性材料（例えば、超吸収性ポリマー）、及び任意選択的にセルロース繊維を含む第１の層と、親水性不織布材料又は親水性材料と、超吸収性材料及び任意選択的にセルロース繊維を含む第２の層と、マスキング材料又はマスキング不織布材料と、を含み得る。層は、トップシートの最も近位からバックシートの最も近位まで、列挙された順序で編成され得る。マスキング材料は、バックシートに最も近接したコアラップの一部分を形成し得る。この多層吸収性コア設計は、嵩高くない容量、乾燥用の超吸収性材料の存在、並びに改善された尿可視化及び柔軟性最適化を可能にすることによって、吸収性及び未熟児へのフィット要件を送達するように構成することができる。第１の層は、トップシートの乾燥を可能にするのに十分な超吸収性材料を有し得るが、依然として、迅速な排泄物捕捉及び柔軟な着用者対向面の感触を提供するのに十分なセルロース繊維を有することができる。第２の層は、第１の層よりも多くの超吸収性材料を有して、排泄物の高い貯蔵容量を提供しながらも薄く、それにより嵩を低くすることができる。第１の層と第２の層との間の親水性不織布材料又は親水性材料は、排泄物が第１の層から第２の層へと容易に移動することができるように、第１の層と第２の層との間に毛管連続性を提供することができる。マスキング材料は、第１及び／又は第２の層内の超吸収性材料の潜在的なざらざらした感触を隠すことによって、衣類対向側から吸収性物品の柔軟性を補助することができる。マスキング材料は、不織布材料、フィルム、発泡体、又は他の好適な材料であってもよい。第１の層、親水性材料、第２の層、及びマスキング材料のうちのいずれかは、２つ以上の層で形成され得る。
【０００７】
本開示の吸収性物品は、１つ以上のインサートと共に使用され得る。インサートは、吸収性物品の完全な交換の必要性を下げることができ、それにより乳幼児の移動を少なくすることができる。これは、未熟児又はＮＡＳの乳幼児に関する背景では非常に望ましい。看護者は、吸収性物品の着用者対向面上に１つ以上のインサートを配置することができる。２つ以上のインサートが使用される場合、インサートは、吸収性物品の着用者対向面上にインサートの積層体を形成し得る。インサートの少なくとも一部又は全ては、液体透過性トップシート、液体不透過性バックシート、及びそれらの間に位置する吸収性コアを含み得る。任意選択的な捕捉材料及び／又は分配材料は、トップシートと吸収性コアとの中間に位置し得る。乳幼児が排泄物を排泄すると、看護者は、吸収性物品全体を交換することなく、最も着用者に対向するインサートを取り外すことができる。
【０００８】
本開示は、一部には、トップシートと、バックシートと、コアラップを含み、少なくとも部分的にトップシートとバックシートとの中間に位置する吸収性コアと、を含むシャーシを備える、吸収性物品に関する。吸収性物品は、中央横方向軸と、中央長手方向軸と、第１の曲線部分を含む第１の腰部縁部と、第２の曲線部分を含む第２の腰部縁部と、第３の曲線部分を含む第１の側縁部と、第４の曲線部分を含む第２の側縁部と、を備え得る。第１の側縁部は、中央長手方向軸の第１の側に位置し得、第２の側縁部は、中央長手方向軸の第２の側に位置し得る。第１の腰部縁部は、中央横方向軸の第１の側に位置し得、第２の側縁部は、中央長手方向軸の第２の側に位置し得る。コアラップは、超吸収性材料及び任意選択的に繊維状材料を含む第１の層と、親水性材料又は親水性不織布材料と、超吸収性材料及び任意選択的に繊維状材料を含む第２の層と、マスキング材料と、を少なくとも部分的に又は完全に封入することができる。材料は、列挙された順序でコアラップ内にあってもよく、第１の層は、トップシートの最も近位にあり、マスキング材料は、バックシートの最も近位にある。マスキング材料は、バックシートに最も近接したコアラップの一部分を形成し得る。
【０００９】
多様な吸収性物品は、パッケージ内に配置されていてもよい。パッケージは、アレイ又はオンラインアレイ（on-line array）において販売されてもよい。
【図面の簡単な説明】
【００１０】
本開示の上記及び他の特徴及び利点、並びにそれらを実現する様式は、本開示の以下の実施例形態の説明を添付の図面と併せて参照することによって、より明らかになり、本開示自体の理解が深まるであろう。
【図１】使用中の構成における本開示の吸収性物品の正面斜視図である。
【図２】使用中の構成における図１の吸収性物品の側面図である。
【図３】衣類対向面が閲覧者に面し、取り外し可能な締着部材が外側カバー不織布材料に取り付けられた、本開示の吸収性物品の平面図である。
【図３Ａ】１本以上のミシン目を含む本開示の吸収性物品の平面図である。
【図３Ｂ】１本以上のミシン目を含む本開示の吸収性物品の平面図である。
【図４】着用者対向面が閲覧者に面し、取り外し可能な締着部材が取り付けられていない、本開示の吸収性物品シャーシの平面図である。
【図５】取り外し可能な締着部材の第２の表面の平面図である。
【図６】図５の取り外し可能な締着部材の第１の表面の平面図である。
【図７】図６の線７−７付近で取った取り外し可能な締着部材の断面図である。
【図８】着用者対向面が閲覧者に面し、湿りガード及びレッグカフを有する本開示の例示的な吸収性物品シャーシの平面図である。
【図９】着用者対向面が閲覧者に面している、本開示の例示的な湿りガードの図である。
【図１０】シャーシの中央横方向軸付近で取った、本明細書の吸収性物品の吸収性コア及び任意選択的な捕捉材料の例示的な断面概略図である。
【図１１】シャーシの中央横方向軸付近で取った、本明細書に開示の吸収性物品の吸収性コア及び任意選択的な捕捉材料の別の例示的な断面概略図である。
【図１２】本明細書に開示の吸収性コアの第１及び第２の層、又は他の層の形状の例示的な上面図である。
【図１３】シャーシの中央横方向軸付近で取った、本明細書の吸収性物品の吸収性コア及び任意選択的な捕捉材料の例示的な断面概略図である。
【図１４】シャーシの中央横方向軸付近で取った、本明細書に開示の吸収性物品の吸収性コア及び任意選択的な捕捉材料の別の例示的な断面概略図である。
【図１５】インサートが上に位置する例示的な吸収性物品の左側面図である。
【図１６】吸収性物品の着用者対向面上に位置する例示的なインサートの平面図である。
【図１７】吸収性物品と共に使用するための例示的なインサートの平面図である。
【図１８】図１７の線１８−１８付近で取ったインサートの例示的な断面図である。
【図１９】図１７の線１９−１９付近で取ったインサートの別の例示的な断面図である。
【図２０】吸収性物品と共に使用するための別の例示的なインサートの平面図である。
【図２１】吸収性物品と共に使用するための別の例示的なインサートの平面図である。
【図２２】内側カフ及び外側カフを有するレッグカフシステムの例示的な側面図である。
【図２３】図３の中央長手方向軸付近で取ったシャーシ構成の例示的な断面図である（外側カバー不織布材料及び締着部材を含まない）。
【図２４】図３の中央横方向軸付近で取ったシャーシ構成の例示的な断面図である（外側カバー不織布材料及び締着部材を含まない）。
【発明を実施するための形態】
【００１１】
本明細書に開示の可逆的かつ構成可能な吸収性物品の構造、機能、製造、及び使用の原理の総合的な理解を提供するために、ここで、本開示の様々な非限定的な形態について記載する。これらの非限定的な形態の１つ以上の実施例を添付の図面に示す。当業者であれば、本明細書に記載され、添付の図面に示される可逆的かつ構成可能な吸収性物品は非限定的な実施例の形態であり、本開示の様々な非限定的な形態の範囲は特許請求の範囲によってのみ定義されることを理解するであろう。１つの非限定的な形態に関して示される、又は説明される特徴は、他の非限定的な形態の特徴と組み合わせることができる。そのような改変及び変形は、本開示の範囲内に含まれるものとする。
【００１２】
本開示の吸収性物品は、１つ以上の曲線又は弓状部分を各々有する腰部及び／又は側縁部を有し得る。これにより、吸収性物品は、それらの曲線表面に起因して、より小さい乳児又は他の着用者に、より良好にフィットすることが可能となる。曲線部分はまた、消費者による吸収性物品の柔軟性の知覚、及び消費者による計画性／カスタマイズを補助する。図１は、使用中の構成における本開示の吸収性物品の正面斜視図である。図２は、使用中の構成における図１の吸収性物品の側面図である。図３は、衣類対向面が閲覧者に面し、取り外し可能な締着部材が外側カバー不織布材料に取り付けられた、本開示の吸収性物品の平面図である。図４は、着用者対向面が閲覧者に面し、取り外し可能な締着部材が取り付けられていない、本開示の吸収性物品シャーシの平面図である。
【００１３】
図３及び４を参照すると、本開示の吸収性物品１０は、シャーシ１２と、２つなどの１つ以上の完全に取り外し可能な締着部材１４とを備え得る。取り外し可能な締着部材については、以下で更に詳述されるであろう。シャーシ１２は、中央横方向軸１６と、中央長手方向軸１８と、を含み得る。シャーシ１２は、シャーシ１２の着用者対向面の一部分を形成する液体透過性トップシート２０（図４）と、液体不透過性バックシート２１と、シャーシ１２の衣類対向面の一部分を形成する外側カバー不織布材料２２と、吸収性コア２４と、を含み得る。吸収性コア２４は、コアラップを含んでもよく、吸収性物品の着用者対向面に面するように構成された第１の外側表面と、吸収性物品の衣類対向面に面するように構成された第２の外側表面とを有し得る。トップシートは、有孔又は無孔であってもよく、３次元的要素、パターン、及び／又はエンボスを含んでも含まなくてもよい。バックシート２１は、通気性又は非通気性フィルムを含み得る。外側カバー不織布材料２２は、開口部、３次元的要素、パターン、及び／又はエンボスを含んでも含まなくてもよい。シャーシ１２は、少なくとも部分的にトップシート２０と吸収性コア２４との中間に位置する捕捉材料２６を含んでもよい。シャーシ１２は、第１の側縁部２８と、第２の側縁部３０と、第１の腰部縁部３２と、第２の腰部縁部３４とを含み得る。第１の側縁部２８は、中央長手方向軸１８の第１の側に位置し得、第２の側縁部３０は、中央長手方向軸の第２の側に位置し得る。第１の腰部縁部３２は、中央横方向軸１６の第１の側に位置し得、第２の腰部縁部３４は、中央長手方向軸の第２の側に位置し得る。第１の側縁部２８は、１つ以上の第１の曲線部分３６を含み得る。第２の側縁部３０は、１つ以上の第２の曲線部分３８を含み得る。第１の腰部縁部３２は、１つ以上の第１の曲線部分４０を含み得る。第２の腰部縁部３４は、１つ以上の第２の曲線部分４２を含み得る。第１の側縁部２８は、１つ以上の直線部分４４を含み得る。第２の側縁部３０は、１つ以上の直線部分４６を含み得る。直線部分４４及び／又は４６は、材料の上に折り畳まれることができる。言い換えると、直線部分４４及び／又は４６は、材料の２つ以上の層を有し得る。直線部分及び／又は４６の縁部の上の折り畳みは、視覚的かつ触覚的に魅力的なすっきりと滑らかな縁部を生じる。第１及び第２の腰部縁部３２、３４は各々、１つ以上の直線部分を含んでもよいか、又は直線部分を一切含まなくてもよい。
【００１４】
シャーシ１２の全周囲は、切断されるか、又は折り畳まれるかのいずれかであり得る。場合によっては、直線部分は、切断されたシャーシ１２の周囲の残りの部分と共に折り畳んでもよい。これにより、視覚的かつ触覚的に魅力的なすっきりと滑らかな縁部を生じる。シャーシ１２の全周囲は、切断されるか又は折り畳まれるかにかかわらず、２つ以上の層を含み得る。他の場合、シャーシ１２の全周囲は、２つ以上の層を含まなくてもよいか、又はシャーシ１２の周囲の一部分のみが２つ以上の層を含んでもよい。この場合、周囲又はその一部分は、１層又は３層以上を有してもよい。折り畳まれた縁部は、直線であってもよく、切断縁部は、曲線であるか、又は直線でなくてもよい。
【００１５】
可逆性を提供するために、シャーシ１２は、中央横方向軸１６を中心として実質的に対称であってもよく、及び／又は中央長手方向軸１８を中心として実質的に対称であってもよい。同様に、可逆性を提供するために、第１の側縁部２８は、中央長手方向軸１８を中心として第２の側縁部３０に対して実質的に対称であってもよく、第１の腰部縁部３２は、再び中央横方向軸１６を中心として第２の腰部縁部３４に対して実質的に対称であってもよい。「実質的に対称」とは、対称であるが製造公差を許容するように計画されていることを意味する。側縁部及び／又は腰部縁部に加えて、吸収性コア２４、任意選択的な捕捉材料２６、バックシート２１、外側カバー不織布材料２２（又は分配層などの他の材料）は、中央横方向軸１６及び／又は中央長手方向軸１８を中心として実質的に対称であり得る。シャーシ１２及びその構成要素が中心横方向軸及び長手方向軸１６、１８を中心として実質的に対称であることによって、吸収性物品は、完全に可逆的であることができ、それにより、介護者又は看護者が、着用者の前側腰部上の第１又は第２の腰部縁部のうちのいずれかを用いて吸収性物品を適用することを可能にすることができる。未熟児を様々な位置に配置することができ、未熟児の移動を可能な限りなくすことが望ましいので、未熟児に関する背景では、この可逆性は特に有用である。場合によっては、シャーシ１２は、中央横方向軸１６及び／又は中央長手方向軸１８を中心として実質的に対称でなくてもよい。この場合、シャーシ１２は、依然として可逆性であってもなくてもよい。
【００１６】
再び図３及び４を参照すると、第１の腰部縁部３２の第１の曲線部分４０は、中央横方向軸１６に対して１つ以上の第１の凹部分及び１つ以上の第１の凸部分を含み得る。同様に、第２の腰部縁部３４の第２の曲線部分４２は、１つ以上の第１の凹部分及び１つ以上の第１の凸部分を含み得る。場合によっては、第１及び第２の腰部縁部３２、３４全体は、中央横方向軸１６に対して単一の凹部分及び２つの凸部分を有してもよい。第１及び第２の腰部縁部の凹部分、又はそれらの一部分は、第１及び第２の腰部縁部に、臍帯又は手術部位用切り欠き又はへこみ４８を形成してもよい。臍帯又は手術部位用切り欠き又はへこみ４８への緩やかな傾斜は、未熟児に関する背景では重要であり得る。これらの緩やかな傾斜は、乳児のサイズ及び／又は手術部位若しくは臍の位置に応じて、看護者が、吸収性物品を容易に調節すること（すなわち前側又は後側に向かって引っ張る）を可能にすることができる。臍帯又は手術部位用切り欠き又はへこみの代わりに、シャーシ１２は、臍又は手術部位を覆うために、臍帯又は手術部位用突起（破線で示されている）を有してもよい。
【００１７】
場合によっては、吸収性物品の第１の腰部縁部及び／又は第２の腰部縁部には、任意選択的な臍帯用切り欠き又は折り畳み可能な領域が設けられてもよく、それにより、看護者が遭遇し得るおむつの状況に応じて、看護者は、吸収性物品の一部分を取り外す／折り畳むかどうかを決定することができる。図３Ａを参照すると、吸収性物品１０’は、第１の腰部縁部３２’及び／又は第２の腰部縁部３４’に近接する１本以上のミシン目３１を含んでもよい。ミシン目３１は、吸収性物品１０’の厚さを通って延在してもよく、それにより、看護者がミシン目３１のうちの１本に沿って裂いて、様々な所望のサイズの臍帯用切り欠きを作り出すことができる。シャーシの取り外し可能な区域３３は、ミシン目３１と第１の腰部縁部３２’との中間に位置する。取り外し可能な領域３３は、看護者が裂くと選択したミシン目３１に応じて、１本以上のミシン目３１を含んでもよい。ミシン目３１はまた、第２の腰部縁部３４’に近接して設けられてもよい。ミシン目３１は、弓状又は曲線部分を含んでもよい。図３Ｂを参照すると、吸収性物品１０’’は、第１の腰部縁部３２’’又は第２の腰部縁部３４’’に近接する２本以上のミシン目３１’’を含んでもよい。ミシン目３１’’は、吸収性物品１０’’の厚さを通って延在してもよく、それにより、看護者がミシン目３１’’のうちの２本に沿って裂いて、（横方向及び長手方向の両方の）様々な所望のサイズの臍帯用切り欠きを作り出すことができる。２本のミシン目３１’’に沿ったこの裂けにより、第１のミシン目と第２のミシン目３１’’との間のシャーシの折り畳み可能な領域３５が残される。シャーシの折り畳み可能な領域３５は、看護者が裂く２本のミシン目３１’’に応じて、１つ以上のミシン目３１’’を含み得る。そのような構成では、看護者は、吸収性物品の着用者対向面又は衣類対向面の上に折り畳み可能な領域３５の少なくとも一部分を折り畳んで、臍帯用切り欠きを作り出すことができる。看護者は、任意選択的に、折り畳み可能な領域３５の一部分を、着用者対向面又は衣類対向面にテープで留めるか若しくは取り付けるか、又は例えばはさみで材料を切り取ってもよい。ミシン目３１’’はまた、第２の腰部縁部３４’’に近接して設けられてもよい。
【００１８】
シャーシ１２は、一体型シャーシであってもよいか、又はシャーシに取り付けられた突出部５０（点線で示される）を有してもよい。非常に耳に似た突出部５０は、シャーシの主本体（すなわち、突出部５０を含まないシャーシ１２）に取り付けられてもよく、接着剤及び／又は結合の使用などを通じて、市販の吸収性物品に取り付けられる。非一体型構成では、第１及び第２の突出部５０は、第１の側縁部２８に近接して取り付けられてもよく、第３及び第４の突出部５０は、第２の側縁部３０に近接して取り付けられてもよい。一体型構成では、第１の突出部５０は、第１の側縁部２８に形成されてもよく、第２の突出部は、第２の側縁部３０に形成されてもよく、第３の突出部は、第１の側縁部に形成されてもよく、第４の突出部は、第２の側縁部３０に形成されてもよい。一体型構成における第１、第２、第３、及び第４の突出部の各々は、シャーシ１２とは別の要素ではない。いずれの構成においても、突出部５０のうちの少なくとも１つ、２つ、３つ、又は全ては、（側縁部の曲線部分とは別の）１つ以上の追加の曲線部分を各々有してもよい。（構成要素が互いに接合されている場合）吸収性物品がシームを有さず、それにより改善された柔軟性及び改善された漏れ防止をもたらすので、一体型構成が望ましい場合がある。
【００１９】
第１及び第２の側縁部２８、３０、並びに第１及び第２の腰部縁部３２、３４は一緒に、シャーシ１２の外周を形成し得る。一体型シャーシ及び非一体型シャーシに関する背景では、突出部５０は、第１及び第２の側縁部の一部分、それにより外周を形成する。外周の約４０％〜約９５％、約５０％〜約９５％、約６０％〜約９５％、又は約６０％〜約９０％は曲線であってもよく、具体的には、指定された範囲内及びその中の、又はそれにより形成される全ての範囲内の１％刻みの全てを指す。外周の約５％〜約５０％、約５％〜約４０％、約５％〜約３０％、又は約５％〜約２５％だけが、直線（すなわち、真っ直ぐ）であってもよく、具体的には、指定された範囲内及びその中の、又はそれにより形成される全ての範囲内の１％刻みの全てを指す。
【００２０】
吸収性物品の製造ラインでは、無限長を有するウェブは、典型的には機械方向に搬送される。これらのウェブは、典型的には、直線状側縁部を有し、吸収性物品のピッチに対して幅方向に切断される。１つ以上の直線部分４４及び１つ以上の直線部分４６は、ウェブの直線状側縁部の一部分であってもよく、曲線部分３６、３８、４０、４２は、切断部分の追加的な切断及び除去（すなわち、トリム除去）によって形成されてもよい。
【００２１】
図５は、取り外し可能な締着部材の第２の表面の平面図である。図６は、図５の取り外し可能な締着部材の第１の表面の平面図である。図７は、図６の線７−７付近で取った取り外し可能な締着部材の断面図である。完全に取り外し可能な締着部材１４は、シャーシ１２とは別個の要素であり得る伸縮性パネルであってもよい。図５及び図６を参照すると、締着部材１４は、第１の表面５２、第２の表面５４、第１の端部５６、及び第２の端部５８を各々含み得る。第１の表面５２は、第２の表面５４に対向し得、第１の端部５６は、第２の端部５８に対向し得る。締着部材１４は、外側カバー不織布材料２２の第１の一部分又はランディングゾーン（設けられる場合）の第１の一部分を係合するように構成され得、第１の表面５２に位置し得る、第１の締着具６０を含み得る。第１の締着具６０は、シャーシ１２の一部分を、中央横方向軸１６の第１の側に係合するように構成され得る。シャーシ１２は、ランディングゾーンを含まなくてもよく、外側カバー不織布材料２２の任意の一部分が、ランディングゾーンとして機能してもよい。締着部材１４は、外側カバー不織布材料２２の第２の異なる一部分に係合するように構成され得、第１の表面５２に位置し得る、第２の締着具６２を含み得る。第２の締着具６２は、シャーシ１２の一部分を、中央横方向軸１６の第２の側に係合するように構成され得る。場合によっては、シャーシ１２は、１つの完全に取り外し可能な締着部材１４のみが設けられてもよい。この状況では、第１の締着具６０は、シャーシ１２の外側カバー不織布材料２２の一部分と係合し得、第２の締着具６２は、外側カバー不織布材料２２の別の部分と係合し得るか、又は締着部材１４の第２の表面５４の一部分と係合し得る。締着部材１４は、締着具６０、６２のうちの１つが外側カバー不織布材料の一部分に取り付けられ、締着具６０、６２のうちの他方がトップシート２０（又はシャーシの他の部分）と係合するか、又はシャーシ１２のいずれの一部分にも係合せずに、パッケージ内に設けられてもよい。また、他の締着具６０、６２を、締着部材の表面５２、５４と係合させて、締着具６０、６２が他の吸収性物品又は他のアイテムに引っ掛かるのを少なくとも阻止してもよい。なお他の場合、締着部材１４は、シャーシ１２と共にパッケージ内に設けられてもよいが、シャーシ１２とは分離していてもよい。他の場合、締着部材１４及びシャーシ１２は、別のパッケージ内に設けられてもよい。
【００２２】
締着部材１４は、吸収性物品１０から完全に取り外し可能であるので、看護者又は介護者の所望に応じて締着させることができる。場合によっては、看護者又は介護者は、例えば、乳児がある特定の位置にいる場合、締着部材１４をシャーシ１２から取り外し、これらを使用しなくてもよい。他の場合、看護者又は介護者は、例えば、乳児が別のある特定の位置にいる場合、締着部材１４のうち１つのみを使用してもよい。
【００２３】
図５〜６を参照すると、第１の締着具６０及び第２の締着具６２は、締着部材１４の外周まで延在しなくてもよい。これは、粗い締着具材料（例えば、フック）が着用者の皮膚に接触又は刺激を与えることを防止するか、あるいは少なくとも抑制することを助けることができる。締着具６０及び６２は、矩形として示されているが、例えば、円形又は卵形などの任意の他の好適な形状であってもよい。場合によっては、締着具が、着用者の皮膚に刺激を与えることを再び防止するか、あるいは少なくとも抑制するように、角部を有さない締着具を有することが望ましい場合がある。
【００２４】
図３及び４を参照すると、第１の締着具６０は、突出部５０の内側又は部分的に内側の吸収性コア２４に重なるか又は部分的に重なる領域で、シャーシ１２の衣類対向面に取り付けられてもよい。吸収性コア２４が重なる領域に第１の締着具６０を取り付けることによって、第１の締着具６０は、例えば第１の締着具６０のフック６４の意図しない分離を最小限に抑えるために、シャーシ１２上の低運動力ゾーンに位置する。その結果、看護者又は介護者は、第１の締着具６０を取り外すことなく、又は第１の締着具６０を再固定することなく、吸収性物品を適用することができる。これは、特に乳幼児が未熟児の場合には、病院環境において非常に望ましい場合がある。この概念は、締着部材１４の第１の締着具６０の両方に適用されてもよい。
【００２５】
加えて、例えば、第１の締着具６０又は第１の締着具６０に近接する完全に取り外し可能な締着部材１４の領域は、追加の機械的結合、熱結合、超音波結合、及び／又はのり（図３では一緒に「結合部」と称され、６１と番号が振られている）によって、シャーシ１２の衣類対向面に追加的に固定されてもよい。任意の好適な数、形状、及び／又はサイズの結合部６１を、第１の締着具６０上に、又は第１の締着具の周囲の領域上に設けてもよい。係合が外れること対して追加的に抵抗するために、結合部６１は、第１の締着具６０、又は第１の締着具６０に近接する完全に取り外し可能な締着部材１４の領域に、単なるフック６４を超えて追加的な強度を提供することができる。しかしながら、そのような場合、第１の締着具６０は、シャーシ１２から依然として取り外し可能であってもよい。結合部６１は、例えばフック６４の前縁部及び後縁部、並びに／又はフック６４の左側及び右側に位置してもよい。他の場合、結合部６１は、第１の締着具の角部又は第１の締着具の角部の外側に位置してもよい。結合部６１は、シャーシ１２の衣類対向面に第１の締着具６０を固定するのを補助するだけでなく、フック６４が、衣服、ブランケット、及び／又は他のアイテムと望ましくない係合を引き起こし得る、フック６４の一部分の剥離及び部分的な露出から第１の締着具６０を防止又は少なくとも抑制する。第１の締着具は、パッケージ内にあるとき、又は介護者に提示されるときに、この段落で記載したように位置し、取り付けられていてもよい。第１の締着具は、この様式で、第１の腰部領域又は第２の腰部領域に締着することができる。第２の締着具６２はまた、第２の締着具６２の意図しない開放を防止するか、又は少なくとも抑制するための結合部を含み得る。
【００２６】
パッケージ化されているとき、第２の締着具６２は、突出部５０のシャーシ１２の衣類対向面と係合してもよい。典型的には、第２の締着具がシャーシ１２上で開放され再度配置されることが意図されるという点で、第２の締着具６２は、結合部６１を有さなくてもよい。第２の締着具６２を最初に突出部５０のシャーシ１２の衣類対向面に取り付けることによって、看護者又は介護者は、第２の締着具６２を取り外すために乳幼児を移動させる必要なく、吸収性物品を把持し、乳児又は未熟児の下で吸収性物品を摺動させることが可能である。換言すれば、第２の締着具６２が乳児又は未熟児の真下に存在しなくてもよいので、第２の締着具６２を取り外し適切な位置に再度取り付けるために、乳幼児を移動させる、寝返りを打たせる、及び／又は持ち上げる必要がない。
【００２７】
図７を参照すると、締着部材１４は、第１の不織布基材又は他の基材６４と、第２の不織布基材又は他の基材６６と、少なくとも部分的に第１の基材６４と第２の基材６６との中間に位置する弾性材料６８と、を含み得る。弾性材料６８は、例えば、弾性不織布材料、弾性フィルム、及び／又は弾性ストランドを含み得る。弾性材料は、通気性を促進するために、有孔であるか、又は微細有孔であってもよい。他の場合、締着部材は、１つ以上の基材を含んでもよく、弾性材料を含まなくてもよい。なお他の場合、締着部材は、１つ以上の弾性不織布基材を含み得る。
【００２８】
図８は、着用者対向面が閲覧者に面し、湿りガード及びレッグカフを有する本開示の例示的な吸収性物品シャーシ１２の平面図である。完全に取り外し可能な締着部材１４は、図３に示され、本明細書に記載されるように、吸収性物品シャーシ１２と共に使用することができる。例示的な吸収性物品シャーシ１２は、図を簡略化するために腰部及び側縁部３２、３４、２８、３０上の曲線部分と共に示されていないが、シャーシは、図３及び４のシャーシと同じ又は同様の形状を有し得ることが理解されるであろう。吸収性物品シャーシ１２は、一対以上のレッグカフ７０及び１つ以上の湿りガード７２を含み得る。レッグカフ７０は、その中に位置する１つ以上の弾性ストランド７４を有し得る。弾性スタンド７４は、中央横方向軸１６に近接する中央ゾーン７６でのみカフに取り付けられてもよい。一例として、中央ゾーン７６は、より小さいサイズの吸収性物品では約０．５インチ〜約２．５インチ延在し得る。中央ゾーン７６では、弾性ストランド７４は、レッグカフの一部分にのり付け又は結合され得る。場合によっては、一対のレッグカフのみが設けられ得る。レッグカフの追加的な特徴は、２０１７年８月３１日公開の、Ｌｕｄｗｉｇらの米国特許出願公開第２０１７／０２４６０５２号に開示されている。
【００２９】
１つ以上の湿りガード７２は、シャーシ１２の着用者対向面上に設けられ得る。場合によっては、シャーシ１２の長手方向端部領域に、１つのみの湿りガードが設けられ得る。他の場合、シャーシ１２の長手方向に対向する端部領域に、２つの湿りガードが設けられ得る。排泄物、特に尿が吸収性物品に入ると、最初に吸収性物品の中央長手方向領域又は股部領域に吸収され得る。股部領域が過充填されるのを阻止するために、設計によって、排泄物は、捕捉材料及び吸収性コアによって吸収性物品の長手方向端部領域に向かって吸い取られる。これにより、股部領域が、過充填されることなく、追加的な排泄物を受容することを可能にすることができる。またこれにより、長手方向端部領域を湿らせる潜在性もある。着用者の背中下側及び前側腰部などの長手方向端部領域に乳児の皮膚が接触することを防止するために、湿りガードを、長手方向端部領域の一方又は両方に設けてもよい。湿りガード７２は各々トップシート２０の一部分と重なって、トップシートが皮膚接触するのを阻止し、それにより着用者の皮膚上の水分を低減することができる。
【００３０】
湿りガード７２は、１つ以上の材料層を含み得る。ある場合、湿りガードは、トップシート２０に面するフィルムと、着用者に面する１つ以上の不織布材料とを含み得る。他の場合、湿りガード７２は、フィルムを含まない疎水性不織布材料を含んでもよい。フィルム又は疎水性不織布材料を設けることによって、吸収性コア又は捕捉材料からの湿りが、着用者の背中下側又は前側腰部に接触することから遮断され、それにより皮膚の健康及び乾燥を改善することができる。
【００３１】
場合によっては、湿りガード７２は、腰部縁部３２、３４の上に折り畳まれたバックシートフィルム２１及び外側カバー不織布２２の一部分で形成されてもよい。他の場合、湿りガードは、シャーシ１２に取り付けられた別個の構成要素であってもよい。図９は、着用者対向面が閲覧者衣類に面し、シャーシ１２に取り付けられた湿りガード７２の図を示す。湿りガード７２は、中央横方向軸１６に最も近接した、取り付けられていない自由端部７８を有してもよい。取り付けられていない自由端部７８は、図９に直線として示されているが、曲線部分を含んでもよい。湿りガードは、湿りガードのトップシートに面する側上及び／又はトップシート上にフック又は他の取り付け特徴を設けることによって、必要に応じてシャーシ１２から完全に取り外し可能であってもよい。他の場合、湿りガード７２は、例えば取り付け領域７９に沿ってシャーシ１２に恒久的に結合されるか、接着剤で取り付けられるか、又は別の方法で取り付けられてもよい。湿りガードの追加的な特徴は、２０１７年８月３１日公開の、Ｌｕｄｗｉｇらの米国特許出願公開第２０１７／０２４６０５２号に開示されている。
【００３２】
図１０は、シャーシ１２の中央横方向軸１６付近で取った、本明細書の吸収性物品の吸収性コア２４及び任意選択的な捕捉材料２６の例示的な断面概略図である。図１１は、シャーシ１２の中央横方向軸１６付近で取った、本明細書に開示の吸収性物品の吸収性コア２４及び任意選択的な捕捉材料２６の別の例示的な断面概略図である。本開示の吸収性コア２４は、衣類対向側及び着用者対向側の両方からの低減された嵩及び改善された柔軟性と共に、優れた吸収性及び貯蔵を提供するように設計されている。そのような吸収性コアの更なる利点は、上に記載されている。
【００３３】
任意選択的な捕捉材料２６は、コアラップ８０の外側に位置し得る。捕捉材料２６は、コアラップ８０よりも（中央横方向軸１６に沿った方向に）幅広であってもよいか、又はコアラップ８０ほど幅広でなくてもよい。捕捉材料２６は、コアラップよりも（中心長手方向軸１８に沿った方向に）長くてもよいか、又はコアラップ８０よりも短くてもよい。分配材料は、捕捉材料２６とコアラップ８０との中間に設けられても、若しくは別の方法で位置してもよいか、又は設けられなくてもよい。捕捉材料２６及び／又は分配材料は、矩形、又はより狭い股部領域及びより幅広な長手方向端部領域を有する砂時計形状などの形状であってもよい。形状は、図１２に示されている形状と同様であってもよい。
【００３４】
コアラップ８０は、単一の材料で形成されてもよく（図１０）、又は２つ以上の材料で形成されてもよい（図１１）。コアラップ８０はまた、第１の上側（トップシートに最も近い）材料が、下側材料の周囲に部分的に巻き付けられているＣラップ設計を取ることができる。下側材料は、以下に記載されるように、マスキング材料の一部分によって形成され得る。コアラップはまた、当該技術分野において既知の任意の他の好適な構成に構成されてもよい。コアラップ８０は、吸収性物品の着用者対向面に面する第１の外側表面８１と、吸収性物品の衣類対向面に面する第２の外側表面８３とを有し得る。コアラップ８０は、第２の外側表面８３（図１０を参照）又は第１の外側表面８１上で、それ自体と少なくとも部分的に重なってもよい。マスキング材料は、第２の外側表面８３の一部分を形成してもよい。様々な構成要素は、コアラップ８０内に少なくとも部分的に又は完全に封入され得る。コアラップ８０は、不織布材料、ティッシュ材料、マスキング材料の一部分、又は他の好適な材料を含み得る。吸収性コア２４のトップシート側から開始して、第１の層８２が設けられ得る。第１の層８２は、超吸収性材料８４及び／又はセルロース繊維８６などの繊維状材料を含み得る。場合によっては、第１の層８２は、超吸収性材料８４のみを含み得るか、又は繊維状材料８６のみを含み得る。繊維状材料８６、８６が第１の層８２内に設けられる場合、吸収性コア２６の衣類対向側をより柔らかくし、超吸収性材料粒子によって引き起こされる任意のざらつきを隠すのに役立ち得る。第１の層８２は、トップシートの乾燥を可能にするのに十分な超吸収性材料８４を有し得るが、依然として、迅速な排泄物捕捉及び柔軟な着用者対向面の感触を提供するのに十分なセルロース繊維などの繊維状材料８６を有することができる。
【００３５】
親水性不織布材料又は親水性材料８８は、第１の層８２の下に位置し得る。超吸収性材料８４及び／又はセルロース繊維などの繊維状材料８６を含み得る第２の層９０は、親水性材料８８の下に位置し得る。場合によっては、第２の層９０は、超吸収性材料８４のみを含み得るか、又は繊維状材料８６のみを含み得る。第２の層９０は、第１の層８２よりも多くの超吸収性材料を有して、排泄物の高い貯蔵容量を提供しながらも薄く、したがって嵩がより低い。言い換えると、第２の層９０は、第１の層８２よりも高い濃度の超吸収性材料８４を有し得る。第１の層８２は、第２の層９０よりも高い濃度の繊維状材料８６を有してもよい。第１の層８２と第２の層９０との間の親水性材料８８は、排泄物が第１の層８２から第２の層９０に容易に移動することができるように、第１の層と第２の層との間に毛管連続性を提供することができる。マスキング材料９２は、第２の層９０の下に位置し得る。マスキング材料９２は、第１及び／又は第２の層８２、９０内の超吸収性材料の潜在的なざらざらした感触を隠すことによって、衣類対向側からの吸収性物品の柔軟性を補助することができる。マスキング材料９２は、不織布材料、織布材料、セルロース繊維などの繊維状材料、フィルム、発泡体、ティッシュ、高ロフトティッシュ、繊維状超吸収体ウェブ、及び／又は任意の他の好適な材料を含んでもよい。いくつかの構成では、マスキング材料９２は、吸収性コアの外周の一部分を形成してもよい。
【００３６】
第１及び第２の層８２、９０、親水性材料８８、コアラップ８０、並びにマスキング材料９２のいずれか又は全ては、図１２に示されている形状９４又は同様の形状を有し得る。この形状は、伸張された砂時計形状と見なされ、吸収性物品の股部領域を非常に狭くすることを可能にする。未熟児に関する背景では、乳児の脚を押し開く場合があり、潜在的に臀部に関する問題を生じ得るので、幅広な股部領域が望ましくない場合がある。伸張された砂時計形状を有する代わりに、様々な構成要素に切り欠き又はへこみを作り出して、狭い股部領域を形成してもよい。
【００３７】
第１の層８２は、その長手方向端部に近接する第１の幅（中央横方向軸１６に沿った方向）、及びその長手方向中点における第２の幅を有してもよい。第１の幅は第２の幅よりも広くてもよい。同様に、第２の層は、その長手方向端部に近接する第１の幅と、その長手方向中点における第２の幅とを有してもよい。第１の幅は第２の幅よりも広くてもよい。この特徴はまた、コアラップ、親水性材料、及び／又はマスキング材料にも適用され得る。そのような場合、層又は材料のうちのいずれか又は全ては、矩形でなくてもよく、代わりに成形されてもよい（すなわち、矩形又は正方形ではない）。
【００３８】
親水性材料は、第１の層８２、第２の層９０及び／又はマスキング材料９２よりも（中央横方向軸１６に沿った方向に）より幅広であっても、それらほど幅広でなくてもよい。
【００３９】
第１の層８２は、第１の層の約５重量％〜約６０重量％、約５重量％〜約５５重量％、約１５重量％〜約５５重量％、又は約２０重量％〜約５０重量％の範囲で超吸収性材料を含み得、具体的には、指定された範囲内及びその中の、又はそれにより形成される全ての範囲内の０．５％刻みの全てを指す。第２の層８２は、第２の層の約３０重量％〜約１００重量％、約４０重量％〜約９０重量％、約４０重量％〜約８０重量％、約４０重量％〜約７０重量％、又は約４０重量％〜約６０重量％の範囲で超吸収性材料を含み得、具体的には、指定された範囲内及びその中の、又はそれにより形成される全ての範囲内の０．５％刻みの全てを指す。
【００４０】
第１の層８２は、第１の層の約３０重量％〜約１００重量％、約４０重量％〜約９５重量％、約５０重量％〜約９０重量％、又は約５０重量％〜約８０重量％の範囲でセルロース繊維などの繊維状材料を含み得、具体的には、指定された範囲内及びその中の、又はそれにより形成される全ての範囲内の０．５％刻みの全てを指す。第２の層８２は、第２の層の約３０重量％〜約８０重量％、約３０重量％〜約７０重量％、約３５重量％〜約６５重量％、又は約４０重量％〜約６０重量％の範囲でセルロース繊維などの繊維状材料を含み得、具体的には、指定された範囲内及びその中の、又はそれにより形成される全ての範囲内の０．５％刻みの全てを指す。
【００４１】
マスキング材料９２は、親水性材料８８及びコアラップ８０の各々の坪量よりも高い坪量を有し得る。マスキング材料は、１つ以上の層で形成され得る。単一の層では、それ自体の上に折り畳まれてもよいか、又は複数の個々の層が設けられてもよい。マスキング材料は、約８ｇｓｍ〜約１００ｇｓｍ、約１０ｇｓｍ〜約９０ｇｓｍ、約１０ｇｓｍ〜約６０ｇｓｍ、約１０ｇｓｍ〜約４０ｇｓｍ、約１０ｇｓｍ〜約３０ｇｓｍ、約１３ｇｓｍ〜約２５ｇｓｍ、又は約１３ｇｓｍ〜約２０ｇｓｍの範囲の坪量を有し得、具体的には、指定された範囲内及びその中の、又はそれにより形成される全ての範囲内の０．５ｇｓｍ刻みの全てを指す。
【００４２】
本開示のマスキング材料は、約０．２５ｍｍ〜約２０ｍｍ、約０．２５ｍｍ〜約１５ｍｍ、約０．５ｍｍ〜約１２ｍｍ、約０．５ｍｍ〜約１１ｍｍ、約１ｍｍ〜約１０ｍｍ、約１ｍｍ〜約８ｍｍ、約２ｍｍ〜約６ｍｍ、約３ｍｍ〜約５ｍｍの範囲、又は約４ｍｍの厚さを有し得、具体的には、指定された範囲内及びその中の、又はそれにより形成される全ての範囲内の０．０１ｍｍ刻みの全てを指す。厚さは、本明細書における厚さ試験に従って測定される。
【００４３】
本開示のマスキング材料は、約５０ｍＮ〜約３，５００ｍＮ、１００ｍＮ〜約３，５００ｍＮ、約１００ｍＮ〜約３，２００ｍＮ、約１００ｍＮ〜約２，５００ｍＮ、約１００ｍＮ〜約２，０００ｍＮ、約１００ｍＮ〜約１，５００ｍＮ、若しくは約１００ｍＮ〜約１，０００ｍＮ、約１００ｍＮ〜約７５０ｍＮ、約２００ｍＮ〜約６００ｍＮ、約３００ｍＮ〜約５００ｍＮの範囲、又は約４００ｍＮの剛性を有し得、具体的には、指定された範囲内及びその中の、又はそれにより形成される全ての範囲内の１ｍＮ刻みの全てを指す。剛性は、本明細書における剛性試験に従って測定される。
【００４４】
一実施例では、マスキング材料は、約１ｍｍ〜約８ｍｍの範囲の厚さ、及び約１００ｍＮ〜約１０００ｍＮの剛性を有し得る。典型的には、厚さは、吸収性コア内の超吸収性ポリマーの任意のざらざらした感触を隠すのに十分な厚さでありながら、吸収性物品の可撓性を維持し、着用者に適合するのに十分な低い剛性を有するべきである。
【００４５】
一実施例では、マスキング材料は、約５ｇｓｍ〜約７５ｇｓｍ、約１０ｇｓｍ〜約６５ｇｓｍ、約１０ｇｓｍ〜約６０ｇｓｍ、約１０ｇｓｍ〜約５０ｇｓｍ、約１０ｇｓｍ〜約４５ｇｓｍ、約１０ｇｓｍ〜約４０ｇｓｍ、約１５ｇｓｍ〜約３５ｇｓｍ、約１５ｇｓｍ〜約３０ｇｓｍ、約１５ｇｓｍ〜約２５ｇｓｍの範囲、又は約２０ｇｓｍの坪量を有し得、具体的には、指定された範囲内及びその中の、又はそれにより形成される全ての範囲内の０．１ｇｓｍ刻みの全てを指す。坪量は、本明細書における坪量試験によって測定される。
【００４６】
図１０及び１１を参照すると、接着剤は、様々な構成要素の中間に位置してもしなくてもよい。接着剤は、いくつかの構成要素の間にのみ位置してもよく、他の構成要素ではない。
【００４７】
コアラップ８０（１つ又は２つの層）、親水性材料、マスキング材料９２、及び／又は吸収性コア２４内の他の不織布材料のうちの少なくとも２つ、又は少なくとも３つは、同じか又は異なる特性を有し得る。これらの特性は、表面エネルギー、孔径、坪量、キャリパー、及び／又は他の不織布特性であり得る。これは、単一の材料のコアラップに関する背景（例えば、図１０）、又は二重の材料のコアラップに関する背景（例えば、図１１）で適用され得る。
【００４８】
図１３は、シャーシ１２の中央横方向軸１６付近で取った、本明細書の吸収性物品の吸収性コア２４及び任意選択的な捕捉材料２６の例示的な断面概略図である。図１４は、シャーシ１２の中央横方向軸１６付近で取った、本明細書に開示の吸収性物品の吸収性コア２４及び任意選択的な捕捉材料２６の別の例示的な断面概略図である。図１３及び１４では、マスキング材料９２は、コアラップ８０の第２の外側表面８３又は外周の一部分を形成し得る。言い換えると、コアラップ８０は、様々な構成要素をマスキング材料９２で部分的にのみ封入して、封入を完了し得る。したがって、マスキング材料９２の一部分は、コアラップの一部分と見なすことができる。図１３及び１４では、図１０〜１２と同じ参照番号を有する様々な構成要素は、図１０〜１２に関して上述したものと同じであってもよい。図１４では、第２の層９０は存在しなくてもよい。
【００４９】
図１５〜２０を参照すると、吸収性物品１１０（又は本明細書に記載の吸収性物品１０）と共に使用するために、１つ以上のインサート１００が設けられ得る。１つ以上のインサートは、１つ以上の吸収性物品と一緒にパッケージングされてもよく、あるいは別でパッケージングされ販売されてもよい。１つ以上のインサート及び１つ以上の吸収性物品は、キットであってもよい。１つ以上のインサートは、吸収性物品が着用者に着用された後、又は吸収性物品が着用者に着用される前に、吸収性物品内に配置することができる。インサートは、吸収性物品が汚れる前又は吸収性物品が汚れた後に使用することができる、追加の吸収性収容要素を本質的に提供する。インサートは、吸収性物品のみを使用した場合に比べて、乳幼児又は着用者のために完全に交換する必要がなくてもよく、それにより、移動、持ち上げ、又は接触が少なくて済むという点で有利であり得る。複数のインサートを一度に使用することができ、汚れた場合、最も着用者に近い側のインサートを除去することができる。場合によっては、インサートは、任意の好適な接合手法を使用して、吸収性物品の着用者対向面又は別のインサートの着用者対向面に、締着又は接合されてもよい。他の場合、インサートは、吸収性物品の着用者対向面に、又はいくつかの別の取り付け機構若しくは接合機構を含まずに、着用者対向面に単に置くことができる。これらの場合、インサートは、摩擦により又は単に乳幼児の体重によって、適所にとどまることができる。場合によっては、吸収性物品を着用者が着用中に、インサートの少なくとも一部分が吸収性物品に挿入されると、吸収性物品の着用者対向面の一部分上で摺動可能な低摩擦係数を有してもよい。インサートは、吸収性物品全体の取り換えを低減することができ、それにより、乳幼児又は未熟児のストレスを少なくする（すなわち、移動／持ち上げを少なくする）ので有益である。
【００５０】
図１６は、例示的な吸収性物品１１０の着用者対向面上に位置するインサート１００の平面図であるが、吸収性物品は、本明細書に記載の吸収性物品１０の外周及び／又は他の機構を有してもよい。図１７は、インサート１００の平面図である。図１８は、線１８−１８付近で取った、図１７のインサート１００の例示的な断面図である。図１９は、線１９−１９付近で取った、図１７のインサート１００の別の例示的な断面図である。図２０は、別のインサート１００’の平面図である。図２１は、別のインサート１００’’の平面図である。
【００５１】
インサート１００は、トップシート１４２と、任意選択的な捕捉材料及び／又は分配材料１４４と、吸収性コア１４６と、バックシート１４８と、任意選択的に外側カバー不織布材料１５０と、を含み得る。トップシート１４２は、１種以上の不織布材料、１種以上のフィルム、又は１種以上の不織布材料及び１種以上のフィルムから形成された積層体で形成されてもよい。トップシート１４２は、トップシート１４２内に画定された液体透過性材料又は開口部１５２を含み得る。トップシート１４２はまた、例えば、３次元的特徴、エンボス、結合パターン、ローション、図形、及び／又は界面活性剤を含んでもよい。捕捉材料及び／又は分配材料１４４は、不織布材料、発泡体又は他の好適な材料で形成されてもよい。任意選択的に、架橋セルロース繊維の層もまた、トップシート１４２と捕捉材料及び／又は分配材料１４４との中間に存在してもよい。吸収性コア１４６は、吸収性材料を含んでもよい。吸収性材料は、大部分がエアフェルト若しくはエアフェルトのみ、又は大部分が超吸収性ポリマー若しくは超吸収性ポリマーのみの、エアフェルト及び超吸収性ポリマーの混合物を含んでもよい。吸収性コア１４６は、吸収性材料を含まない領域（例えば、吸収性材料を含まないチャネル）を有してもよく、又は吸収性材料が緻密化されている領域（例えば、吸収性材料内に緻密化された領域によって形成されるチャネル）を有してもよい。バックシート１４８は、液体不透過性であってもよく、気体透過性（又は「通気性」）であってもよく、又は気体透過性でなくてもよい。場合によっては、バックシート１４８は、設けられなくてもよく、吸収性コア１４６によって吸収されない排泄物は、インサート１００を通り、吸収性物品１００内に移動し得る。外側カバー不織布材料１５０は、設けられてもよく、又は設けられなくてもよく、例えば、不織布材料で形成されてもよい。
【００５２】
図１９を参照すると、インサート１００は、図１７の線１９−１９付近で取った場合示される断面を有してもよい。そのような場合、トップシート１４２は、バックシート１４８の端部領域の周りにＣ字形状巻き付き部を形成し、接着性結合材１４９又は他の種類の接合部を使用してバックシート１４８に接合されてもよい。そのような場合、バックシート１４８の一部分は、使用中に吸収性物品のトップシートに面してもよい。言い換えると、バックシート１４８の一部は、インサートの衣類対向面を形成してもよい。任意選択的な捕捉材料及び／又は分配材料１４４を設けてもよい。図１９のインサートは、場合によっては、外側カバー不織布材料も同様に有することができる。
【００５３】
図２０を参照すると、インサート１００’が示されている。この例示的インサート１００’は、一方の端部に把持タブ１５４を、他方の端部に切り取り１５６を有する。汚れた後に、介護者は把持タブ１５４を使用して、吸収性物品からインサート１００’を容易に把持及び取り外すことができる。把持タブ１５４は、一実施例では、バックシート材料又は他の液体不透過性材料のみで形成されてもよく、排泄物は、把持タブ１５４に吸い上がることはできない。他の場合、把持タブ１５４は、トップシート１４２の一部、バックシート１４８の一部、及び／又は外側カバー不織布材料１５０の一部によって形成されてもよい。一方の端部に把持タブ１５４及び他方の端部に切り取り１５６を設けることによって、インサートを複数のインサート１００’のストリップに製造するときに、省材料化を達成することができる。本明細書に記載のインサートのうちの任意のものは、複数のインサートのストリップに製造されてもよく、例えば、インサートのロールとしてパッケージされてもよい。脆弱線１５８が、様々なインサートの中間に形成されてもよい。そのような場合、複数のインサートのロールが介護者又は看護者に提供されてもよく、その後、介護者又は看護者は、特定の着用者に使用するために任意の好適な数のインサートを切り離すことができる。インサートはまた、例えば、積み重ねて、又は他の形態でパッケージされてもよい。
【００５４】
図２１を参照すると、インサート１００’’が示されている。例示的なインサート１００’’は、介護者又は看護者が容易にインサート１００’’を配置及び取り外すことを可能にするように、両端に把持タブ１５４を有してもよい。
【００５５】
場合によっては、様々なインサートは、着用した吸収性物品へのインサートの適用を補助する剛化部材又は剛化部分（例えば、発泡体、緻密化領域）を含み得る。
【００５６】
図２２は、本明細書に記載の吸収性物品に使用され得る外側カフ２０２及び内側カフ２０４を有するレッグカフシステム２００の例示的な側面図である。外側カフ２０２は１つ以上の弾性ストランド２０６を含み得、内側カフ２０４は１つ以上の弾性ストランド２０８を含み得る。レッグカフシステム２００は、不織布材料の単一片又は不織布材料の複数片で形成され得る。不織布材料の単一片で形成される場合、不織布材料の端部又は一部分は、ヘム結合（図２２でＸによって表される）によって一緒に接合されてもよい。ヘム結合に近接する不織布材料の端部における重なりは、折り返してもよいことに留意されたい。内側カフ２０４及び外側カフ２０２は各々、不織布材料の折り畳みにより、完成した縁部を形成してもよい。完成したカフ縁部は、柔軟性及び上等な外観のために望ましい。
【００５７】
本明細書のレッグカフの不織布材料は単一片で形成されてもよいが、複数の層を含んでもよい。層は、１つ以上のスパンボンド高ロフト不織布層、１つ以上のメルトブロー不織布層、及び／又は１つ以上のスパンボンド不織布層を含み得る。スパンボンド高ロフト不織布層は、典型的には、異なる融解温度を有する２種の異なるポリマーを有する２成分繊維を含む。ポリマーが冷却されると、ポリマーのうちの１種は、他のポリマーよりも迅速に冷却されて、繊維のカール又は「捲縮」を生じる。スパンボンド高ロフト不織布層は、当業者には捲縮不織布層としても知られている。
【００５８】
本明細書のレッグカフ用の不織布材料は、着用者対向面から順に外側に向かって、第１のスパンボンド高ロフト不織布層、第１のメルトブロー不織布層、第２のメルトブロー不織布層、及び第２のスパンボンド高ロフト不織布層を含み得る。例えば、内側又は外側カフ２０２、２０４などのカフは、これらの不織布材料のうちの２種をそれら自体の上に折り畳んでもよい。本明細書のレッグカフ用の別の不織布材料は、着用者対向面から順に外側に向かって、スパンボンド高ロフト不織布層、第１のメルトブロー不織布層、第２のメルトブロー不織布層、及びスパンボンド不織布層を含み得る。例えば、内側又は外側カフ２０２、２０４などのカフは、これらの不織布材料のうちの２種をそれら自体の上に折り畳んでもよい。本明細書のレッグカフ用の更に別の不織布材料は、着用者対向面から順に外側に向かって、第１のスパンボンド高ロフト不織布層、第１のメルトブロー不織布層、第２のメルトブロー不織布層、第２のスパンボンド高ロフト不織布層、及びスパンボンド不織布層を含み得る。例えば、内側又は外側カフ２０２、２０４などのカフは、これらの不織布材料のうちの２種をそれら自体の上に折り畳んでもよい。本明細書のレッグカフ用のなお別の不織布材料は、着用者対向面から順に外側に向かって、第１のスパンボンド不織布層、第１のメルトブロー不織布層、第２のメルトブロー不織布層、第２のスパンボンド不織布層、及び任意選択的に別のスパンボンド不織布層を含み得る。例えば、内側又は外側カフ２０２、２０４などのカフは、これらの不織布材料のうちの２種をそれら自体の上に折り畳んでもよい。
【００５９】
上記のスパンボンド高ロフト不織布層は、約５ｇｓｍ〜約２０ｇｓｍ、約７ｇｓｍ〜約１５ｇｓｍ、約８ｇｓｍ〜約１３ｇｓｍ、約８ｇｓｍ〜約１１ｇｓｍ、約９ｇｓｍ〜約１０．５ｇｓｍの範囲、又は約９．９ｇｓｍの坪量を有し得、具体的には、指定された範囲内及びその中の、又はそれにより形成される全ての範囲内の０．１ｇｓｍ刻みの全てを指す。上記のメルトブロー不織布層は、約０．５ｇｓｍ〜約５ｇｓｍ、約０．５ｇｓｍ〜約３ｇｓｍ、約０．５ｇｓｍ〜約２ｇｓｍ、約１ｇｓｍ〜約１．５ｇｓｍの範囲、又は約１．１ｇｓｍの坪量を有し得、具体的には、指定された範囲内及びその中の、又はそれにより形成される全ての範囲内の０．１ｇｓｍ刻みの全てを指す。上記のスパンボンド不織布層は、約３ｇｓｍ〜約２０ｇｓｍ、約３ｇｓｍ〜約１５ｇｓｍ、約４ｇｓｍ〜約１２ｇｓｍ、又は約５ｇｓｍ〜約１０ｇｓｍの範囲の坪量を有し得、具体的には、指定された範囲内及びその中の、又はそれにより形成される全ての範囲内の０．１ｇｓｍ刻みの全てを指す。坪量は、本明細書における坪量試験に従って測定される。
【００６０】
図２３及び図２４は、シャーシ構成の例示的な断面図である（外側カバー不織布材料及び締着部材１４を含まずに示されている）。図２３は、図３の中心長手方向軸１８付近で取り、図２４は、図３の中央横方向軸１６付近で取ったものである。示されている構成要素は、トップシート２０、バックシート２１、捕捉材料２６、吸収性コア２４、及びマスキング材料９２を含む。吸収性コア２４は、超吸収性ポリマー８４と、セルロース繊維８６などの繊維状材料とのブレンドを含み得る。吸収性コア２４は、Ｃラップとして構成され得るコアラップ８０に包まれてもよい。Ｃラップを形成する材料の側部は、結合又は接着剤（図２４で「Ｘ」によって表される）によって接合されてもよい。吸収性コア２４の端部シール８１は、結合又は接着剤によって一緒に接合されてもよい。マスキング材料９２は、コアラップ８０の外側に、吸収性コア２４とバックシート２１との中間に少なくとも部分的に位置し得る。
【００６１】
試験方法
厚さ試験
試験試料の厚さは、試料が載置される基準プラットフォームと、特定の時間にわたって試料上に特定の量の圧力をかける圧力足部との間の距離として測定される。全ての測定は、２３℃±２℃及び相対湿度５０％±２％で維持された実験室内で実施される。
【００６２】
厚さは、０．５ｋＰａ±０．０１ｋＰａの一定圧力を試験試料にかけることが可能な圧力足部を備えた手動式マイクロメータで測定する。手動で操作されたマイクロメータは、０．００１ｍｍに正確な読み取り値を有する自重型器具である。好適な器具は、ＶＷＲ  Ｉｎｔｅｒｎａｔｉｏｎａｌから入手可能なＭｉｔｕｔｏｙｏ  Ｓｅｒｉｅｓ  ５４３  ＩＤ−Ｃ  Ｄｉｇｉｍａｔｉｃである。圧力足部は、５０ｍｍの直径を有する平坦な面の円形の可動面である。試験試料は、圧力足部の表面よりも大きく、圧力足部の表面に平行な水平の平坦な基準プラットフォームによって支持される。システムは、製造元の指示に従って較正かつ操作される。
【００６３】
必要に応じて、吸収性物品から取り出すことによって試験試料を得る。試験試料を吸収性物品から切除するとき、プロセス中に試験試料層にいかなる汚染又は変形も付与しないように注意を払う。試験２時間前に、試験試料を、２３℃±２℃及び相対湿度５０％±２％で調整する。厚さを測定するために、最初に、水平の平坦な基準プラットフォームに対してマイクロメータをゼロにする。試験試料を、試験位置が圧力足部の下で中心にある状態で、プラットフォーム上に置く。全圧力が試験試料にかかるまで、１．０ｍｍ±０．１ｍｍ／秒の下降速度で圧力足部を静かに下げる。５秒待ち、次いで試験試料の厚さを０．０１ｍｍ単位で記録する。同様に、合計５つの複製試験試料について繰り返す。厚さの算術平均を計算し、０．０１ｍｍ単位で報告する。
【００６４】
剛性試験
試験試料の剛性又は「助力」は、６．０ｍｍのスロット幅及び１００グラムの力荷重セルを有するＮＷＳＰ  ０９０．３．Ｒ０（１５）を使用して決定する。試験試料は、理想的には２００×２００ｍｍのサイズである。ＮＷＳＰ方法に概説される結果を補正することによって、より小さい試料を試験することができる（すなわち、１００×１００ｍｍの試料について得られた結果を２倍にする）。全ての測定は、２３℃±２℃及び相対湿度５０％±２％で維持された実験室内で実施される。試料を、試験２時間前に、同じ気候条件下で調整する。試験試料を吸収性物品から切除するとき、プロセス中に試験試料層にいかなる汚染又は変形も付与しないように注意を払う。合計５つの複製試料を試験し、剛性の算術平均を０．１ｍＮ単位で報告する。
【００６５】
坪量試験
本明細書に記載の材料の坪量は、いくつかの利用可能な手法によって測定することができるが、単純な代表的な手法は、吸収性物品又は他の消費者製品を取り、存在し得る一切の弾性を除去し、吸収性物品又は他の消費者製品をその全長まで伸張させることを伴う。次いで、４５．６ｃｍ２の面積を有する打抜きダイを使用して、存在し得る任意の他の層に材料を締結するために使用され得る任意の接着剤、及び材料が他の層から外れることと、を可能な限り回避する位置で、（必要に応じてＣｙｔｏ−Ｆｒｅｅｚｅ（Ｃｏｎｔｒｏｌ  Ｃｏｍｐａｎｙ（Ｈｏｕｓｔｏｎ，Ｔｅｘａｓ））などの極低温スプレーを使用して）吸収性物品又は他の消費者製品のおよそ中心から測定する材料片を切り取る。次いで、試料を秤量し、打抜きダイの面積で除算すると、材料の秤量が得られる。結果を、５つの試料の平均として、０．１グラム／平方メートル（gram per square meter、ｇｓｍ）単位で報告する。
【００６６】
本明細書にて開示された寸法及び値は、列挙された正確な数値に厳密に限定されるものとして理解されるべきではない。その代わりに、特に指示がない限り、そのような寸法はそれぞれ、列挙された値とその値を囲む機能的に同等な範囲との両方を意味することが意図されている。例えば、「４０ｍｍ」として開示される寸法は、「約４０ｍｍ」を意味するものとする。
【００６７】
相互参照されるか又は関連するあらゆる特許、特許公開、又は特許出願を含む、本明細書で引用される全ての文献は、明示的に除外又は制限されない限り、その全体が参照により本明細書に組み込まれる。いずれの文献の引用も、その文献が本願で開示又は特許請求される全ての発明に対する先行技術であることを認めるものではなく、又はその文献が単独で、あるいは任意の他の参照文献との任意の組み合わせにおいて、かかる発明のいずれかを参照、教示、示唆又は開示することを認めるものでもない。更に、本文書における用語の任意の意味又は定義が、参照により組み込まれた文書内の同じ用語の任意の意味又は定義と矛盾する場合、本文書においてその用語に与えられた意味又は定義が適用されるものとする。
【００６８】
本開示の特定の形態について示し、記載してきたが、本発明の趣旨及び範囲から逸脱することなく、様々な他の変更及び修正を行うことができることを当業者は認識するであろう。したがって、本開示の範囲内にある、そのような変更及び修正の全ては、添付の特許請求の範囲に網羅されることが意図される。
【図１】
2021526421.tif 000003
【図２】
2021526421.tif 000004
【図３】
2021526421.tif 000005
【図３Ａ】
2021526421.tif 000006
【図３Ｂ】
2021526421.tif 000007
【図４】
2021526421.tif 000008
【図５】
2021526421.tif 000009
【図６】
2021526421.tif 000010
【図７】
2021526421.tif 000011
【図８】
2021526421.tif 000012
【図９】
2021526421.tif 000013
【図１０】
2021526421.tif 000014
【図１１】
2021526421.tif 000015
【図１２】
2021526421.tif 000016
【図１３】
2021526421.tif 000017
【図１４】
2021526421.tif 000018
【図１５】
2021526421.tif 000019
【図１６】
2021526421.tif 000020
【図１７】
2021526421.tif 000021
【図１８】
2021526421.tif 000022
【図１９】
2021526421.tif 000023
【図２０】
2021526421.tif 000024
【図２１】
2021526421.tif 000025
【図２２】
2021526421.tif 000026
【図２３】
2021526421.tif 000027
【図２４】
2021526421.tif 000028
【国際調査報告】
2021526421.tif 000029
2021526421.tif 000030